(57)【要約】外傷に対して圧力を印加するための装置が提供され、この装置は、天面パネルおよび２つの側面を有する本体部を備え、外傷に対向するドレッシング上に位置付けられるように適合されるため、天面パネルは基本的にドレッシングの表面に対して平行である。更に、自身の上に畳まれるように適合された細長ウェブと、ウェブの巻かれた面上に配置されるドレッシングと、直接または間接的に外傷に向き合うドレッシングとなるように適合された圧力増加部材と、を備え、圧力増加部材は、天面パネルおよび２つの側面を有する本体部を備え、天面パネルは基本的にドレッシングと平行である、包帯が提供される。【選択図】図２Ｂ
2013502265.tif 000002
【特許請求の範囲】
【請求項１】
外傷に対して圧力を印加するための装置であって、
天面パネルおよび２つの側面を有する本体部を備え、前記天面パネルは基本的にドレッシングの表面に対して平行であるように、外傷に対向するドレッシング上に位置付けられるように適合される、装置。
【請求項２】
前記装置は、直接的または間接的に、前記ドレッシング上に位置付けられる、請求項１に記載の装置。
【請求項３】
前記本体部は、一般にＵ字型の断面を有する、請求項１に記載の装置。
【請求項４】
前記装置は、使用時、介護者が外傷に対して前記装置の前記天面パネルを押すことによって、外傷に対して圧力を印加するように適合される、請求項１に記載の装置。
【請求項５】
前記天面パネルは一般に長方形である、請求項１に記載の装置。
【請求項６】
前記２つの側面のうちの少なくとも１つは、開口部であって、介護者が前記開口部内に片手の指を差し込むことができ、前記手の、手のひらの少なくとも一部によって前記天面パネルに圧力を印加することができるために十分な大きさの開口部を備える、請求項１に記載の装置。
【請求項７】
前記天面パネルは４つの角を備え、
前記２つの側面のうちの第１の側面は、
前記天面パネルの前記４つの角のうちの第１の角から延在する、第１細長脚部要素と、
前記天面パネルの前記４つの角のうちの第２の角から延在する、第２細長脚部要素と、
前記第１脚部要素および前記第２脚部要素の下端の間に延在する、第１細長足部要素と、
前記第１脚部要素および前記第２脚部要素、前記第１足部要素、ならびに前記天面パネルの第１側端によって画定される、前記２つの側面のうちの前記第１の側面における、第１開口部と、を備え、
前記２つの側面のうちの第２の側面は、
前記天面パネルの前記４つの角のうちの第３の角から延在する、第３細長脚部要素と、
前記天面パネルの前記４つの角のうちの第４の角から延在する、第４細長脚部要素と、
前記第３脚部要素および前記第４脚部要素の下端の間に延在する、第２細長足部要素と、
前記第３脚部要素および前記第４脚部要素、前記第２足部要素、ならびに前記天面パネルの第２側端によって画定される、前記２つの側面のうちの前記第２の側面における、第２開口部と、を備える、請求項１に記載の装置。
【請求項８】
前記天面パネルがほぼ長方形である、請求項７に記載の装置。
【請求項９】
前記足部要素は、互いにほぼ平行である、請求項７に記載の装置。
【請求項１０】
前記第１、第２、第３、および／または第４の細長脚部要素は、前記天面パネルに対してほぼ垂直である、請求項７に記載の装置。
【請求項１１】
前記第１細長足部要素は、前記第１脚部要素および前記第２脚部要素の下端の間にほぼ垂直に延在し、および／または前記第２足部要素は、前記第３脚部要素および前記第４脚部要素の下端の間にほぼ垂直に延在する、請求項７に記載の装置。
【請求項１２】
前記脚部要素は、前記天面パネルの内部表面から、その４つの角のそれぞれから、その全長の一部まで、ほぼ垂直に延在し、それから内側へと角度を変える、
請求項７に記載の装置。
【請求項１３】
前記第１脚部要素および前記第２脚部要素は、互いに向かって角度を変え、
前記第３脚部要素および前記第４脚部要素は、互いに向かって角度を変える、
請求項１２に記載の装置。
【請求項１４】
前記脚部要素は、前記ドレッシングの反対側で包帯に貼付される底面パネルに接触するように適合され、使用時、別の方法で前記足部要素単体によって印加されるものよりも広い範囲で外傷に対して圧力を分散させるために、介護者が前記天面パネルを押し下げると、前記足部要素が前記底面パネルを押し下げる、請求項７に記載の装置。
【請求項１５】
前記第１足部要素に対して移動可能に取り付けられる底面パネルを更に備える、請求項７に記載の装置。
【請求項１６】
前記底面パネルは、リビングヒンジによって前記第１足部要素に移動可能に取り付けられる、請求項１５に記載の装置。
【請求項１７】
開放位置において、前記底面パネルは、前記装置の前記２つの側面の間の内部空間内で、前記装置の前記第１側面の上方に延在し、
閉鎖位置において、前記底面パネルは、前記装置の底部表面で、前記２つの足部要素の間に延在する、
請求項１５に記載の装置。
【請求項１８】
使用時、別の方法で前記足部要素単体によって印加されるものよりも広い範囲で外傷に対して圧力を分散させるために、介護者が前記天面パネルを押し下げると、前記足部要素が前記底面パネルを押し下げる、請求項１５に記載の装置。
【請求項１９】
前記天面パネルは、一般に、左側端、右側端、前方端、および後方端を有する長方形の形態を取り、前記左側端と前記右側端の間の距離である幅寸法（Ｗ）を有し、前記前方端と前記後方端の間の距離である長さ寸法（Ｌ）を有し、
前記底面パネルは、少なくとも前記装置の前記長さ寸法（Ｌ）と同程度の長さを有する長さ寸法を有し、前記装置の前記幅（Ｗ）よりも僅かに短い幅寸法を有する、
請求項１５に記載の装置。
【請求項２０】
前記第３脚部要素および前記第４脚部要素の下部は、前記底面パネルが開放される際に、前記第２足部が前記底面パネルの上面に配置されるように、前記第２足部が外側に反り、弾力的に所定の位置へと跳ね戻るようにするため、僅かに内側に向かって角度を有しうる、
請求項１３に記載の装置。
【請求項２１】
前記第２足部要素の内部表面に厚みの増した領域が設けられる、
請求項１３に記載の装置。
【請求項２２】
前記２つの側面の間の空間が前記装置の内部空間を画定し、前記装置が、畳まれた包帯が少なくとも部分的に前記装置の内部空間内に挿入されうるような大きさおよび形状とされる、
請求項１に記載の装置。
【請求項２３】
前記装置が弾性素材によって形成され、使用時、前記２つの側面が、前記装置の前記内部空間内に挿入された畳まれた包帯に対して弾力的な保持力を及ぼし、前記畳まれた包帯が、前記装置から容易に取り出されうる、請求項２２に記載の装置。
【請求項２４】
前記天面パネルが間隙を備え、使用時、負傷した身体部位上への包帯の巻き付けの間、前記包帯のウェブが前記間隙を通り、前記装置の前記２つの側面の間で画定される内部空間内へと入る、請求項１に記載の装置。
【請求項２５】
自身上に畳まれるように適合された、細長ウェブと、
前記ウェブの巻かれた負傷した面上に配置される、ドレッシングと、
直接または間接的に、外傷に向き合う前記ドレッシングとなるように適合された圧力増加部材と、を備え、前記圧力増加部材は、天面パネルおよび２つの側面を有する本体部を備え、前記天面パネルは、基本的に前記ドレッシングと平行である、
包帯。
【請求項２６】
前記圧力増加部材は、前記ドレッシングの反対側で、前記細長ウェブに貼付される、請求項２５に記載の包帯。
【請求項２７】
前記本体部は、一般にＵ字型の断面である、請求項２５に記載の包帯。
【請求項２８】
使用時、前記圧力増加部材は、介護者が前記圧力増加部材の前記天面パネルを外傷に対して押すことによって、外傷に対して圧力を印加するように適合される、請求項２５に記載の包帯。
【請求項２９】
使用時、前記圧力増加部材は、介護者が前記圧力増加部材の底面パネルを外傷に対して押すことによって、外傷に対して圧力を印加するように適合される、請求項２５に記載の包帯。
【請求項３０】
前記天面パネルは、一般に長方形の形態を取る、請求項２５に記載の包帯。
【請求項３１】
前記２つの側面のうちの少なくとも一方は、
開口部であって、
介護者が前記開口部内に片手の指を差し込むことができ、前記手の手のひらの少なくとも一部によって前記天面パネルに圧力を印加することができるために十分な大きさの開口部を備える、請求項３０に記載の包帯。
【請求項３２】
前記天面パネルは４つの角を備え、
前記２つの側面のうちの第１の側面は、
前記天面パネルの前記４つの角のうちの第１の角から延在する、第１細長脚部要素と、
前記天面パネルの前記４つの角のうちの第２の角から延在する、第２細長脚部要素と、
前記第１脚部要素および前記第２脚部要素の下端の間に延在する、第１細長足部要素と、
前記第１脚部要素および前記第２脚部要素、前記第１足部要素、ならびに前記天面パネルの第１側端によって画定される、前記２つの側面のうちの前記第１側面における、第１開口部と、を備え、
前記２つの側面のうちの第２の側面は、
前記天面パネルの前記４つの角のうちの第３の角から延在する、第３細長脚部要素と、
前記天面パネルの前記４つの角のうちの第４の角から延在する、第４細長脚部要素と、
前記第３脚部要素および前記第４脚部要素の下端の間に延在する、第２細長足部要素と、
前記第３脚部要素および前記第４脚部要素、前記第２足部要素、ならびに前記天面パネルの第２側端によって画定される、前記２つの側面のうちの前記第２側面における、第２開口部と、を備える、
請求項２５に記載の包帯。
【請求項３３】
前記天面パネルはほぼ長方形である、請求項３２に記載の包帯。
【請求項３４】
前記足部要素は互いにほぼ平行である、請求項３２に記載の包帯。
【請求項３５】
前記第１、第２、第３、および／または第４の細長脚部要素は、前記天面パネルに対してほぼ垂直である、請求項３２に記載の包帯。
【請求項３６】
前記第１細長足部要素は、前記第１脚部要素および前記第２脚部要素の下端の間にほぼ垂直に延在し、および／または前記第２細長足部要素は、前記第３脚部要素および前記第４脚部要素の下端の間にほぼ垂直に延在する、請求項３２に記載の包帯。
【請求項３７】
前記脚部要素は、前記天面パネルの内部表面から、その４つの角のそれぞれから、その全長の一部分まで、ほぼ垂直に延在し、それから内側へと角度を変える、
請求項３２に記載の包帯。
【請求項３８】
前記第１脚部要素および前記第２脚部要素は、互いに向かって角度を変え、
前記第３脚部要素および前記第４脚部要素は、互いに向かって角度を変える、
請求項３７に記載の包帯。
【請求項３９】
前記足部要素は、前記ドレッシングの反対側で前記包帯に貼付される底面パネルに接触するように適合され、使用時、別の方法で前記足部要素単体によって印加されるものよりも広い範囲で外傷に対して圧力を分散させるために、介護者が前記天面パネルを押し下げると、前記足部要素が前記底面パネルを押し下げる、請求項３２に記載の包帯。
【請求項４０】
前記第１足部要素に対して移動可能に取り付けられた底面パネルを更に備える、
請求項３２に記載の包帯。
【請求項４１】
前記底面パネルは、リビングヒンジによって第１足部要素に移動可能に取り付けられる、請求項４０に記載の包帯。
【請求項４２】
開放位置において、前記底面パネルは、前記圧力増加部材の前記２つの側面の間の内部空間内で、前記圧力増加部材の前記第一側面の上方に延在し、
閉鎖位置において、前記底面パネルは、前記圧力増加部材の底部表面で、前記２つの足部要素の間に延在する、
請求項４０に記載の包帯。
【請求項４３】
使用時、別の方法で前記足部要素単体によって印加されるものよりも広い範囲で外傷に対して圧力を分散させるために、介護者が前記天面パネルを押し下げると、前記足部要素が前記底面パネルを押し下げる、請求項４０に記載の包帯。
【請求項４４】
前記天面パネルは、一般に、左側端、右側端、前方端、後方端を有する長方形の形態であり、前記左側端と前記右側端の間の距離である幅寸法（Ｗ）を有し、前記前方端と前記後方端の間の距離である長さ寸法（Ｌ）を有し、
前記底面パネルは、少なくとも前記圧力増加部材の前記長さ寸法（Ｌ）と同程度の長さを有する長さ寸法を有し、前記圧力増加部材の前記幅（Ｗ）よりも僅かに短い幅寸法を有する、
請求項４０に記載の包帯。
【請求項４５】
前記第３脚部要素および前記第４脚部要素の下部は、前記底面パネルが開放される際に、前記第２足部が前記底面パネルの上面に配置されるように、前記第２足部要素が外側に反り、弾力的に所定の位置へと跳ね戻るようにするため、僅かに内側に向かって角度を有する、
請求項３２に記載の包帯。
【請求項４６】
前記第２足部要素の内部表面に厚みの増した領域が設けられる、
請求項３２に記載の包帯。
【請求項４７】
前記２つの側面の間の空間が前記圧力増加部材の内部空間を画定し、前記圧力増加部材は、畳まれた包帯が少なくとも部分的に前記圧力増加部材の前記内部空間内に挿入されうるような大きさおよび形状である、
請求項２５に記載の包帯。
【請求項４８】
前記圧力増加部材は弾性素材によって形成され、使用時、前記２つの側面が、前記圧力増加部材の前記内部空間内に挿入された前記畳まれた包帯に対して弾力的な保持力を及ぼし、前記畳まれた包帯は、前記圧力増加部材から容易に取り出しうる、請求項４７に記載の包帯。
【請求項４９】
前記天面パネルは間隙を備え、使用時、負傷した身体部位上への前記包帯の巻き付けの間、前記包帯のウェブが前記間隙を通り、前記圧力増加部材の前記２つの側面の間で画定される内部空間へと入る、請求項２５に記載の包帯。
【発明の詳細な説明】
【技術分野】
【０００１】
本発明は、圧迫包帯などの包帯、およびこれと共に使用するデバイスに関する。
【背景技術】
【０００２】
圧迫（または圧縮）包帯は、患者の腕、脚、頭部または胴などの、負傷した患者の身体部分に巻き付ける、または縛るために、（布、ガーゼ、または他の素材といった）素材の細長小片（またはウェブ）の形態を取りうる。
【０００３】
包帯の目的は、無防備な外傷を保護すること、および、ある種の外傷に関しては、血液の喪失を防止することである。包帯は、例えば軍人、警察官、救急車、ハイキングおよびキャンプをする人によって持ち運ばれ使用されるように、パッケージ化されうるものであり、また、工場、オフィス、家庭、および路上で使用するための救急箱の一部でもありうる。
【０００４】
共同所有の米国特許第５，６２８，７２３号（’７２３特許）に説明されるように、包帯は、通常、綿で作られ（滅菌の）非接着性のパッドと構造層の間に挟持される、１または複数の柔軟な吸収性の部分を含んだ滅菌ドレッシングを含む。パッドは、開放創に取り付けられるように適合される。また、包帯は、包帯の非外傷側、ドレッシングの反対側に配置される圧力増加部材も含む。包帯が負傷した身体部位に取り付けられた場合、使用者（包帯を巻く人物、介護者および／または被害者／負傷者）が外傷に直接圧迫を加えることができるように、圧力増加部材が外傷を覆うように誘導されるはずである。その後の圧力増加部材上へのウェブ部の巻き付けが、外傷に加えられる直接圧迫を増大させる。
【０００５】
圧力増加部材のための様々な構成、および圧力増加部材を組み込んだ包帯の使用が、’７２３特許に示される。
【０００６】
例えば、’７２３特許の図３は、滅菌ドレッシング（１０２）、ウェブ部分（１０４）、および圧力増加部材（１０６）を含む包帯（１００）を示す。圧力増加部材は、基部と、一般に基部に垂直な少なくとも１つの巻き付け要素と、を備える。圧力増加部材（１０６）は、この特許の図１Ａ〜２Ｈに例示される任意のフレーム部材を用いうる。
【０００７】
圧力増加部材（１０６）は、構造用プラスチックのような、柔軟で弾力性のある素材から作られうるものであり、基部（１２２）に固定的に取り付けられ、通常基部に対して垂直な、弓形部（１２０）を含みうる。
【０００８】
ステンレス鋼および他の金属ならびに合金は、硬く、通常は柔軟性のないプラスチックと同様に、圧力増加部材に適したものとして説明される。
【０００９】
フレーム部材は内部空間を有しうるものであり、ウェブの内部空間への通しやすさを向上させるために、その連続性の中に間隙を含みうる。負傷した身体部位上への包帯の巻き付けの間に、包帯のウェブが、圧力増加部材のフレームにおける間隙を通って、圧力増加部材の内部空間へと入る。使用者はその後引き返し、包帯を反対方向に巻き付ける。巻き付ける動作のために、特に反対方向への巻き付けのために、使用者は、ウェブを負傷した身体部位の周囲にきつく引き伸ばすことを促進するウェブの弾性をうまく利用しうる。反対方向へのウェブの巻き付けが、圧力増加部材をドレッシングに対して下方に押し付け、それにより、圧力増加部材が創部に対して圧力を印加する。
【００１０】
’７２３特許はまた、ウェブ部（１０４）の端部（１４２）に取り付けられる係止合釘（１４０）も図示および説明する。係止合釘（１４０）は、一対の対向するフック（１４４）を備える。それぞれのフック（１４４）の端部（１４６）は、プラスチックやゴムのような素材から作られうる。係止合釘（１４０）は、ウェブ部（１０４）が束になってしまうことや滑ってしまうことの防止を助けるための１つまたは複数の突起（１４７）を含みうる。使用時、係止合釘（１４０）は、ウェブ部（１０４）の巻き付け箇所に形成された１つまたは複数の折り目（１６０）内に係止されうるものであり、それによって、包帯（１００）を負傷した四肢（１５０）の周囲に固定し、また、包帯（１００）が止血帯として使用されることを促進する。
【００１１】
危急の場合には、外傷に対して重量を加えることにより、および／または機械的圧力を印加することにより出血を止めるという緊急の必要がしばしば生じる。数秒または数分後になってはじめて（一般に、印加される圧力が強くなり、手を離すことが必要となった場合や、他の被害者の看護のような他の事柄に注意を引かれる場合）、印加される圧力を維持する目的で、使用者は負傷した身体部位に包帯を巻く。
【００１２】
従来技術の圧力増加部材の問題点の一つは、実際に外傷上に直接圧迫を加える、圧力増加部材の限定された領域に関する。例えば、’７２３特許の図１０Ａで確認されるように、ウェブを巻き付ける場合、基部（１２２）の長端のみが外傷に対して直接圧迫を加える。（静脈や動脈といった）血管が切れた場合、切れた血管の２つの部分の各々が、後ろに引かれて互いに離れる（同様の現象が、引き伸ばされたゴムバンドが切れた場合に生じる）。この場合、’７２３特許の図１０Ａに示されるような、基部（１２２）の長端のような比較的狭いラインのみに沿って印加される圧力は、血管の端部の一方、更には両方を外してしまい、それ故に出血が続くことになる。
【００１３】
従来技術の包帯の別の問題は、圧力増加部材の把握に関する。上述のとおり、多くの場合、使用者は、包帯を巻く前に外傷に対して重量（圧力）を加えることによって出血を止める。圧力増加部材の既存の構造は、使用者の手によってしっかりと掴めるようにはなっていない。結果的に、外傷に対して印加される圧力は、使用者が加えることができる最適な圧力とはならないであろう。
【００１４】
圧力増加部材を有する従来技術の包帯の更に別の問題は、かかる包帯の梱包の難しさに関する。圧力増加部材の嵩高性および剛性のため、包帯パッケージは非常に大きく、余りにも大きな体積を占めるものとなる。これが、特に軍事用途における問題の原因となりえ、衛生兵および他の兵士は、大量の装備を携行し、それでもなおその機動性を維持することを要求される。
【００１５】
したがって、当該分野において、緊急の医療手当の助けとなるような、より効率的な圧力増加部材、およびより小型の包帯の必要性が存在する。
【発明の概要】
【発明が解決しようとする課題】
【００１６】
本特許出願の概要部は、「要約」よりも長い形式で、本明細書で開示される主題の要旨を提供することが意図されたものであり、本発明をこの概要部で説明される何らかの特徴に限定するものと解釈されるべきではない。
【００１７】
本発明の一般的な目的は、外傷に対して（直接）圧迫を加えるための、改良された包帯、およびその包帯を使用するための改良された技法を提供することである。
【課題を解決するための手段】
【００１８】
本発明のいくつかの実施形態によれば、一般に、包帯と共に使用可能なデバイスが提供され、該デバイスは、外傷に対して圧力を印加するために、介護者（使用者）がそのデバイス内に手を差し込むことを可能とするための「圧力増加部材」（または「ハンドル」）として機能するための大きさおよび形状とされうる。
【００１９】
本発明の付加的な、または代替の実施形態によれば、一般に、包帯と共に使用可能なデバイスが提供され、該デバイスは、折り畳まれた（または巻かれた）包帯を保持するために、「折り目保持」デバイス（または「ホルダー」）として機能するように適合されうる。該デバイスは、折り畳まれた（または巻かれた）包帯に対するパッケージ化ツールとして機能するように適合され、保護用外郭を形成しうる。
【００２０】
本発明のいくつかの実施形態によれば、一般に、包帯と共に使用可能なデバイスが提供され、該デバイスは、外傷に対して圧力を印加するために、使用者がそのデバイス内に手を差し込むことを可能とするための「圧力増加部材」（または「ハンドル」）として機能するように、また、折り畳まれた（または巻かれた）包帯を保持するために、「折り目保持」デバイス（または「ホルダー」）として機能するように、適合されうる。かかる構成のデバイスは、「併用ホルダー／ハンドル」として言及されうる。
【００２１】
本発明の一実施形態によれば、外傷に対して圧力を印加するための装置が提供され、該装置は、天面パネルと２つの側面を有する本体部を備え、天面パネルがドレッシングの表面に対して原則的に平行となるように、外傷に対向するドレッシング上に位置付けられるように適合される。本装置は、ドレッシング上に直接的に、または間接的に位置付けられるように適合されうる。本体部は、通常、Ｕ字型の断面を有しうる。本装置は、介護者が外傷に対して本装置の天面パネルを押すことによって、外傷に対して圧力を印加するように適合されうる。本装置は、介護者がその指を本装置に差し込み、外傷に対して本装置の底面パネルを押すことによって、外傷に対して圧力を印加するように適合されうる。
【００２２】
本装置の天面パネルは、通常、長方形の形態を取りうる。いくつかの実施形態によれば、２つの側面のうちの少なくとも１つは、介護者が手の指を開口部に差し込み、掌の少なくとも一部によって天面パネル上に圧力を印加することができるために十分な大きさの開口部を備える。
【００２３】
いくつかの実施形態によれば、天面パネルは４つの角を備え、２つの側面のうちの第１の側面は、天面パネルの４つの角のうちの第１の角から延在する第１細長脚部要素と、天面パネルの４つの角のうちの第２の角から延在する第２細長脚部要素と、第１脚部要素および第２脚部要素の下端の間に延在する第１細長足部要素と、第１脚部要素および第２脚部要素、第１足部要素、ならびに天面パネルの第１側端によって画定される、２つの側面のうちの第１の側面における第１開口部と、を備え、２つの側面のうちの第２の側面は、天面パネルの４つの角のうちの第３の角から延在する第３細長脚部要素と、天面パネルの４つの角のうちの第４の角から延在する第４細長脚部要素と、第３脚部要素および第４脚部要素の下端の間に延在する第２細長足部要素と、第３脚部要素および第４脚部要素、第２足部要素、ならびに天面パネルの第２側端によって画定される、２つの側面のうちの第２の側面における第２開口部と、を備える。天面パネルは、ほぼ長方形でありうる。足部要素は、互いにほぼ平行でありうる。第１、第２、第３、および／または第４の細長脚部要素は、天面パネルに対してほぼ垂直でありうる。第１細長足部要素は、第１脚部要素および第２脚部要素の下端の間にほぼ垂直に延在しうるものであり、および／または第２細長足部要素は、第３脚部要素および第４脚部要素の下端の間にほぼ垂直に延在しうる。脚部要素は、天面パネルの内部表面から、その４つの角のそれぞれからその全長の一部分まで、ほぼ垂直に延在し、それから内側へと角度を変える。第１脚部要素および第２脚部要素は互いに向かって角度を変え、第３脚部要素および第４脚部要素は互いに向かって角度を変えうる。足部要素は、ドレッシングの反対側で包帯に貼付される底面パネルに接触するように適合されうるものであり、使用時には、別の方法で足部要素単体によって印加されるものよりも広い範囲で外傷に対して圧力を分散させるために、介護者が天面パネルを押し下げると、足部要素が底面パネルを押し下げる。本装置は、第１足部要素に対して移動可能に取り付けられた底面パネルを更に備えうる。底面パネルは、装置に対して一体的に取り付けられるか、リビングヒンジによって第１足部要素に対して移動可能に取り付けられうる。
【００２４】
いくつかの実施形態によれば、開放位置において、装置の２つの側面の間の内部空間内で底面パネルは装置の第１側面の上方に延在し、閉鎖位置において、底面パネルは、装置の底部表面で、２つの足部要素の間に延在する。
【００２５】
いくつかの実施形態によれば、本装置は使用時において、別の方法で足部要素単体によって印加されるものよりも広い範囲で外傷に対して圧力を分散させるために、介護者が天面パネルを押し下げると、足部要素が底面パネルを押し下げる。
【００２６】
いくつかの実施形態によれば、天面パネルは通常、左側端、右側端、前方端、後方端を有する長方形の形態を取りうるものであり、左側端と右側端の間の距離である幅寸法（Ｗ）を有し、前方端と後方端の間の距離である長さ寸法（Ｌ）を有し、底面パネルは、少なくとも装置の長さ寸法（Ｌ）と同程度の長さを有する長さ寸法を有しうるものであり、装置の幅（Ｗ）よりも僅かに短い幅寸法を有しうる。
【００２７】
いくつかの実施形態によれば、第３脚部要素および第４脚部要素の下部は、底面パネルが開放される際に、第２足部が底面パネルの上面に配置されるように、第２足部要素が外側に反り、弾力的に所定の位置へと跳ね戻るようにするため、僅かに内側に向かって角度を有しうる。いくつかの実施形態によれば、第２足部要素の内側表面には、厚みの増した領域が設けられる。
【００２８】
いくつかの実施形態によれば、２つの側面の間の空間が装置の内部空間を画定し、装置は、畳まれた包帯が少なくとも部分的に装置の内部空間内に挿入されうるような大きさおよび形状とされる。
【００２９】
いくつかの実施形態によれば、本装置は弾性素材によって形成されうるものであり、使用時には、２つの側面が、装置の内部空間内に挿入された畳まれた包帯に対して弾力的な保持力を及ぼし、また、畳まれた包帯は装置から容易に取り出しうる。天面パネルは間隙を含みうるものであり、使用時、負傷した身体部位上への包帯の巻き付けの間、包帯のウェブがその間隙を通り、装置の２つの側面の間で画定される内部空間へと入る。
【００３０】
いくつかの実施形態によれば、自身上に畳まれるように適合された細長ウェブと、ウェブの巻かれた面上に配置されるドレッシングと、直接または間接的に、外傷に向き合うドレッシングとなるように適合された圧力増加部材と、を備え、圧力増加部材は、天面パネルおよび２つの側面を有する本体部を備え、天面パネルは基本的にドレッシングと平行である、包帯が提供される。圧力増加部材は、細長ウェブに貼付され、ドレッシングと対向しうる。本体部は、通常はＵ字型の断面を有しうる。いくつかの実施形態によれば、使用時、圧力増加部材は、介護者が圧力増加部材の天面パネルを外傷に対して押すことによって、外傷に対して圧力を印加するように適合されうる。代替の実施形態によれば、使用時、圧力増加部材は、介護者が圧力増加部材の底面パネルを外傷に対して押すことによって、外傷に対して圧力を印加するように適合されうる。天面パネルは、一般に、長方形の形態を取りうる。いくつかの実施形態によれば、２つの側面のうちの少なくとも１つは、介護者が開口部内に片手の指を差し込むことができ、手のひらの少なくとも一部によって天面パネルに圧力を印加することができるために十分な大きさの開口部を含みうる。
【００３１】
いくつかの実施形態によれば、天面パネルは４つの角を含みうるものであり、２つの側面のうちの第１の側面は、天面パネルの４つの角のうちの第１の角から延在する第１細長脚部要素と、天面パネルの４つの角のうちの第２の角から延在する第２細長脚部要素と、第１脚部要素および第２脚部要素の下端の間に延在する第１細長足部要素と、第１脚部要素および第２脚部要素、第１足部要素、ならびに天面パネルの第１側端によって画定される、２つの側面のうちの第１の側面における第１開口部と、を含みうるものであり、２つの側面のうちの第２の側面は、天面パネルの４つの角のうちの第３の角から延在する第３細長脚部要素と、天面パネルの４つの角のうちの第４の角から延在する第４細長脚部要素と、第３脚部要素および第４脚部要素の下端の間に延在する第２細長足部要素と、第３脚部要素および第４脚部要素、第２足部要素、ならびに天面パネルの第２側端によって画定される、２つの側面のうちの第２の側面における第２開口部と、を含みうる。いくつかの実施形態によれば、天面パネルは、ほぼ長方形でありうる。いくつかの実施形態によれば、足部要素は、互いにほぼ平行でありうる。いくつかの実施形態によれば、第１、第２、第３、および／または第４の細長脚部要素は、天面パネルに対してほぼ垂直でありうる。いくつかの実施形態によれば、第１細長足部要素は、第１脚部要素および第２脚部要素の下端の間にほぼ垂直に延在しうるものであり、および／または第２細長足部要素は、第３脚部要素および第４脚部要素の下端の間にほぼ垂直に延在する。いくつかの実施形態によれば、脚部要素は、天面パネルの内部表面から、その４つの角のそれぞれから、その全長の一部分まで、ほぼ垂直に延在し、それから内側へと角度を変える。いくつかの実施形態によれば、第１脚部要素および第２脚部要素は互いに向かって角度を変え、第３脚部要素および第４脚部要素は互いに向かって角度を変えうる。足部要素は、ドレッシングの反対側で包帯に貼付される底面パネルに接触するように適合されうるものであり、使用時には、別の方法で足部要素単体によって印加されるものよりも広い範囲で外傷に対して圧力を分散させるために、介護者が天面パネルを押し下げると、足部要素が底面パネルを押し下げる。いくつかの実施形態によれば、本包帯は、第１足部要素に対して移動可能に取り付けられた底面パネルを更に含みうる。底面パネルは、リビングヒンジによって第１足部要素に移動可能に取り付けられうる。いくつかの実施形態によれば、開放位置において、圧力増加部材の２つの側面の間の内部空間内で、底面パネルは圧力増加部材の第１側面の上方に延在し、閉鎖位置において、底面パネルは、圧力増加部材の底部表面で、２つの足部要素の間に延在する。いくつかの実施形態によれば、使用時、別の方法で足部要素単体によって印加されるものよりも広い範囲で外傷に対して圧力を分散させるために、介護者が天面パネルを押し下げると、足部要素が底面パネルを押し下げる。いくつかの実施形態によれば、天面パネルは通常、左側端、右側端、前方端、後方端を有する長方形の形態を取りうるものであり、左側端と右側端の間の距離である幅寸法（Ｗ）を有し、前方端と後方端の間の距離である長さ寸法（Ｌ）を有し、底面パネルは、少なくとも圧力増加部材の長さ寸法（Ｌ）と同程度の長さを有する長さ寸法を有し、圧力増加部材の幅（Ｗ）よりも僅かに短い幅寸法を有する。いくつかの実施形態によれば、第３脚部要素および第４脚部要素の下部は、底面パネルが開放される際に、第２足部が底面パネルの上面に配置されるように、第２側部要素が外側に反り、弾力的に所定の位置へと跳ね戻るようにするため、僅かに内側に向かって角度を有しうる。いくつかの実施形態によれば、第２足部要素の内側表面には、厚みの増した領域が設けられうる。いくつかの実施形態によれば、２つの側面の間の空間が圧力増加部材の内部空間を画定しうるものであり、圧力増加部材は、畳まれた包帯が少なくとも部分的に圧力増加部材の内部空間内に挿入されうるような大きさおよび形状とされる。圧力増加部材は弾性素材によって形成されうるものであり、使用時には、２つの側面が、圧力増加部材の内部空間内に挿入された畳まれた包帯に対して弾力的な保持力を及ぼし、また、畳まれた包帯は圧力増加部材から容易に取り出しうる。天面パネルは間隙を含みうるものであり、使用時、負傷した身体部位上への包帯の巻き付けの間、包帯のウェブがその間隙を通り、圧力増加部材の２つの側面の間で画定される内部空間へと入る。
【００３２】
本発明の実施形態を示す例を、本明細書に添付される図面を参照しながら以下に説明する。図面においては、一般に、２以上の図面に現れる同一の構造、要素または部品は、それらが現れる全ての図面において同一の番号が付けられる。図面に示される構成要素の寸法および特性は、一般に、説明の利便性および明確性のために選択されたものであり、必ずしも同一縮尺で示されてはいない。図面の一覧を以下に示す。
【図面の簡単な説明】
【００３３】
【図１Ａ】畳まれた包帯を概略的に示す断面図である。
【図１Ｂ】展開された図１の包帯を概略的に示す断面図である。
【図２】本発明の一実施形態による、「ホルダー」および「ハンドル」として機能することが可能なデバイスを概略的に示す斜視図である。
【図２Ａ】「ホルダー」として機能している図２のデバイスを概略的に示す斜視図である。
【図２Ｂ】「ハンドル」として機能している図２のデバイスを概略的に示す斜視図である。
【図３】本発明の一実施形態による、「ホルダー」および「ハンドル」として機能することが可能なデバイスを概略的に示す斜視図である。
【図３Ａ】「ホルダー」として機能している図３のデバイスを概略的に示す断面図である。
【図３Ｂ】「ハンドル」として機能している図３のデバイスを概略的に示す断面図である。
【図３Ｃ】「ハンドル」として機能している図３のデバイスを概略的に示す断面図である。
【図３Ｄ】「ハンドル」として機能している図３のデバイスを概略的に示す断面図である。
【図４】本発明の一実施形態による、「ホルダー」として機能している状態の図３のデバイスと組み合わされた包帯を概略的に示す断面図である。
【図４Ａ】包帯および図４のデバイスの、使用者（介護者）がデバイスから包帯を取り出そうとしている状態を概略的に示す断面図である。
【図４Ｂ】包帯および図４のデバイスの、デバイスが圧力増加部材または「ハンドル」として機能するための所定位置にある状態を概略的に示す断面図である。
【図４Ｃ】包帯および図４のデバイスの、デバイスが圧力増加部材または「ハンドル」として機能するための所定位置にある状態を概略的に示す斜視図である。
【図４Ｄ】包帯および図４のデバイスの、デバイスが圧力増加部材または「ハンドル」として機能するための所定位置にある状態を概略的に示す斜視図である。
【図４Ｅ】包帯および図４のデバイスの、デバイスが圧力増加部材または「ハンドル」として機能するための所定位置にある状態を概略的に示す斜視図である。
【図５】使用時における、包帯と図４の併用ホルダー／ハンドルデバイスを概略的に示す斜視図である。
【発明を実施するための形態】
【００３４】
以下の説明において、外傷に対して圧力を印加するための技術、および／または包帯をパッケージ化するための技術の、様々な態様が説明されるであろう。説明目的のため、本技術の完全な理解をもたらすために特定の構成および詳細が示される。しかしながら、本技術が、本明細書において提示される特定の詳細なしに実践されうることも、当業者にとっては明白であろう。さらに、本技術の説明を不明瞭なものとしないために、周知の特徴は省略されるか、単純化されうる。
【００３５】
製造された後、包帯（一体化されたドレッシングを有するものか、または有さないもののいずれか）は、販売および流通のために、巻き取られ、パッケージ化されうる。包帯は、巻き取られる代わりに畳まれることもある。素材を一度畳むと（ｎ＝１）、２つ（ｎ＋１）の「パネル」が得られ、そのそれぞれは、互いに同じ大きさでありうる（または異なる大きさとなる）。得られるパネルは、通常、互いに平行であり、実質的に互いに隣接している（アコーディオンまたはコンサーティーナのように）。
【００３６】
素材は、「ジグザグ」折りに畳まれうるものであり、それぞれが素材を反対方向に畳む、２以上（ｎ＞＝２）の平行な折り目を有し、それぞれが互いに同じ大きさでありうる（または異なる大きさでありうる）、多く（ｎ＋１）のパネルがもたらされる。得られるパネルは、通常、互いに平行であり、実質的に互いに隣接している。この観点から見れば、ジグザグ折りは、Ｚ、Ｗ，またはＭに類似している。ジグザグ折りは、「アコーディオン折り」または「Ｚ折り」としても知られている。典型的な圧迫包帯は、ジグザグに折られ、複数の（ｎ＝５〜１０程の）折り目を有し、複数の（ｎ＋１）パネルを生じるものでありうる。
【００３７】
図１Ａは、一般に細長ウェブ１０２を備える、包帯１００を示す。ウェブ１０２は、例えばジグザグ折りで、１０４ａ〜１０４ｆの６つの折り目（ｎ＝６）を有するように自身の上に畳まれ、１０２ａ〜１０２ｇの７つのパネル（ｎ＋１）を生じる。当然のことながら、ｎは任意の数（例えば３，４，５，６，７，８．．．．．．ｎ）を表すことができ、６は一例に過ぎない。包帯１００は「救急包帯」（ｅｍｅｒｇｅｎｃｙ  ｂａｎｄａｇｅ）と呼ばれうる。
【００３８】
パネル１０２ａは「端部パネル」である。ドレッシング１０８が、端部パネル１０２ａの表面に配置されうる。例えば共同所有の米国特許第５，６２８，７２３号に説明されるような、圧力増加部材１１０は、ドレッシング１０８の反対側に、端部パネル１０２ａの面上に配置されうる。
【００３９】
端部パネル１０２ａは、他のパネル１０２ｂ〜ｇよりも僅かに長く引き出されていることに留意すべきである。これは「追加」ウェブ部１０６を示すものであり、典型的にはドレッシング１０８から約５ｃｍ延伸し、包帯１００を外傷（図示せず）に着ける際に、使用者によって掴まれうる。
【００４０】
図１Ａでは、包帯１００はその畳まれた構成で示されており、きっちりと畳まれ、パネル１０２ａ〜１０２ｇは一般に互いに平行であり、実質的に互いに隣接している。例えば、パネル１０２ａはパネル１０２ｂに隣接し、パネル１０２ｂはパネル１０２ａおよび１０２ｃに隣接し、パネル１０２ｃはパネル１０２ｂおよび１０２ｄに隣接し、パネル１０２ｄはパネル１０２ｃおよび１０２ｅに隣接し、パネル１０２ｅはパネル１０２ｃおよび１０２ｆに隣接し、パネル１０２ｆはパネル１０２ｅおよび１０２ｇに隣接する。
【００４１】
圧迫包帯（すなわち、ウェブ）の典型的な寸法は、幅１０〜１５ｃｍ、長さは少なくとも１メートルでありうる。ドレッシング１０８の典型的な寸法は、１０〜１５ｃｍ平方でありうる。ウェブの素材は、厚さ０．２５〜１．５ｍｍでありうる。折り畳まれたとき、包帯１００は、圧力増加部材１１０を除いた全体の厚さ「Ｔ」を有する。厚さ「Ｔ」は、例えば、およそ３ｃｍ（３０ｍｍ）でありうる。この例において、全体の厚さ「Ｔ」は、ウェブおよびドレッシングがパッケージ化されたときに圧縮されうる「柔軟な」素材（例えば、綿、ガーゼ、伸縮性の布、など）で形成されることを考慮すると、それぞれのパネル（１０２ａ〜１０２ｆ）の厚さ（およそ４ｍｍ）の７倍に、ドレッシング１０８の厚さを加えたものにほぼ等しい。
【００４２】
図１Ａに示されるように、圧力増加部材１１０は、包帯１００のウェブ１０２の面上に基本的に平らに置かれる基部１１２と、基部１１２から、したがって包帯１００のウェブ１０２から、垂直に延在する部分１１４と、を備え、それ故、「圧力増加部材を備えた包帯」は、非常に不規則な形状となるのに加え、パッケージ（バッグ）の中で、包帯単体によるものよりも著しく大きなスペース（体積）を占めるものとなってしまっている。バッグ１２０は、図１Ａにおいて、部分的にのみ示されている。
【００４３】
包帯１００がそのパッケージ（図示せず）から取り出されると、使用者（包帯を着ける人物）はこれをその手（両手）に持ち（掴み）、それによって包帯１００をジグザグ折り構成に維持しうる。しかし、包帯の使用を取り巻く、起こりうるストレスの多い混乱した状況においては、使用者は包帯１００を掴み損ねるか、または別の形で失敗し、例えば包帯１００を展開してしまい、地面に落としたり地面へと伸ばしてしまいうる。これは、包帯の汚染を生じうるのみならず、何かの邪魔になったり妨げとなりうるため、一般に望ましいことではない。包帯１００のこの「展開された」状況は、図１Ｂに示される。展開されると、連続するパネル間の角度はこのように小さなもの（例えば、１５度）ではなくなりうるものであり、むしろ、地面にぶつかるまで、包帯１００全体が真っ直ぐに伸びてしまうであろうことが理解されるべきである。
【００４４】
いくつかの実施形態によれば、ウェブは、ジグザグ様式では畳まれないことがありうる。例えば、ウェブ部は、扁平螺旋様式で巻き取られうる。これもまた、「畳まれる」一形式であると考えられる。
【００４５】
以下、畳まれた、例えばジグザグに畳まれた包帯の、互いに隣接するパネルを維持するための、および、外傷に対して包帯を着けた状態で圧力を印加するための方法および装置の実施形態を説明する。本明細書で説明されるデバイスは、本明細書において、そのデバイス／部材が一般に包帯を畳まれた構成に保持するために用いられるか、外傷に対して圧力を印加するために用いられるか、またはその両方であるかに応じて、「折り目保持」デバイス、および／または「圧力増加部材」と呼ばれる。
【００４６】
図２、図２Ａおよび図２Ｂは、畳まれた包帯をその畳まれた構成に保持するための「ホルダー」として、および、外傷に対して圧力を印加するための圧力増加部材（または「ハンドル」）として用いられうる（ならびにそのように機能するための大きさおよび形状とされた）デバイス２００の一実施形態を示す。
【００４７】
デバイス２００の本体部は、一般にＵ字型の断面でありうるものであり、一般に長方形の形態を取る天面パネル２０２を有し、幅寸法「Ｗ」および長さ寸法「Ｈ」を有する。幅寸法「Ｗ」は、天面パネル２０２の左側端２０２ａと右側端２０２ｂの間の距離であり、長さ寸法は、天面パネル２０２の前方端２０２ｃと後方端２０２ｄの間の距離である。左側端２０４ａは右側端２０４ｂと対向し、前方端２０４ｃは後方端２０４ｄと対向する。天面パネル２０２は、以下のとおりの４つの角を有する。
・天面パネル２０２の左前方（ＬＦ）角は、天面パネル２０２の左側端２０２ａと前方端２０２ｃの交点に形成される。
・天面パネル２０２の左後方（ＬＢ）角は、天面パネル２０２の左側端２０２ａと後方端２０２ｄの交点に形成される。
・天面パネル２０２の右前方（ＲＦ）角は、天面パネル２０２の右側端２０２ｂと後方端２０２ｄの交点に形成される。
・天面パネル２０２の右後方（ＲＢ）角は、天面パネル２０２の右側端２０２ｂと後方端２０２ｄの交点に形成される。
【００４８】
デバイス２００の第１（左）側面２０４は、
・天面パネル２０２の左前方（ＬＦ）角から延在し、天面パネル２０２に対してほぼ垂直な、細長「脚部」要素２１２と、
・天面パネル２０２の左後方（ＬＢ）角から延在し、天面パネル２０２に対してほぼ垂直な、細長「脚部」要素２１４と、
・脚部要素２１２および２１４の下端の間にほぼ垂直に延在する、細長「足部」要素２１６と、
を備える。
【００４９】
デバイス２００の左側面２０４における開口部２１８は、脚部要素２１２および２１４、足部要素２１６、ならびに天面パネル２０２の左側端２０２ａによって画定される。
【００５０】
デバイス２００の第２（右）側面２０６は、
・天面パネル２０２の右前方（ＲＦ）角から延在し、天面パネル２０２に対してほぼ垂直な、細長「脚部」要素２２２と、
・天面パネル２０２の右後方（ＲＢ）角から延在し、天面パネル２０２に対してほぼ垂直な、細長「脚部」要素２２４と、
・脚部要素２２２および２２４の下端の間にほぼ垂直に延在する、細長「足部」要素２２６と、
を備える。
【００５１】
デバイス２００の右側面２０４における開口部２２８は、脚部要素２２２および２２４、足部要素２２６、ならびに天面パネル２０２の右側端２０２ｂによって画定される。
【００５２】
４つの脚部要素２１２、２１４、２２２、２２４は全て、互いにほぼ平行でありうるものであり、２つの足部要素２１６および２２６は、互いにほぼ平行でありうる。
【００５３】
脚部要素２１２、２１４、２２２、２２４は、デバイス２００の高さ「Ｈ」にほぼ等しい長さ寸法をそれぞれ有しうる。
【００５４】
足部要素２１６および２２６は、デバイス２００の長さ「Ｌ」にほぼ等しい長さ寸法をそれぞれ有しうる。
【００５５】
２つの側面２０４および２０６の間の空間は、デバイス２００の「内部空間」と呼ばれうるものであり、（脚部要素２１２、２１４、２２２、２２４の厚さを差し引いた）寸法「Ｗ」である幅寸法を有しうる。開口部２１８および２２８は、デバイス２００の外部からデバイス２００の内部空間まで延在する。
【００５６】
間隙２０３は、天面パネル２０２の長さ「Ｌ」に沿ったほぼ中間に、天面パネル２０２の幅「Ｗ」を完全に横断し、左側面開口部２１８および右側面開口部２２８へと入るように位置付けられ（配置され）うる。間隙２０３は、幅寸法「Ｇ」を有しうる。間隙２０３は、デバイス２００の内部空間内へと繋がる。
【００５７】
幾何学的に表現すると、デバイス２００は６面直角柱であり、例えば、以下を有する。
・天面パネル２０２によって画定される上部表面。上部表面は、間隙２０３を除き、連続している（または閉じている）。
・足部要素２１６および２２６によって画定され、上部表面に対向する、底部表面。底部表面は、足部要素２１６および２２６を除き、実質的に開放されている。
・２つの脚部要素３１２および２１４、ならびに足部要素２１６によって画定される、左側面２０４。左側面２０４は、実質的に開放されている。
・２つの脚部要素２２２および２２４、ならびに足部要素２２６によって画定され、左側面に対向する、右側面２０６。右側面２０６は、実質的に開放されている。
・脚部要素２１２および２２２、ならびに天面パネル２０２の前方端２０２ｃによって画定される、前方端。前方端は、実質的に開放されている。
・脚部要素２１４および２２４、ならびに天面パネル２０２の後方端２０２ｄによって画定される、後方端。後方端は、実質的に開放されている。
【００５８】
図示されてはいないが、実質的に「閉じられた」天面パネル２０２に代わるものとして、側面パネル２０４および２０６に類似するが、間隙によって隔てられた２つの開口部を有するという様式で天面パネル２０２を形成しうるであろう。
【００５９】
図２Ａは、例えば畳まれた救急包帯のパッケージ化のための、「ホルダー」として機能するデバイス２００を示す。畳まれた包帯２５０は、デバイス２００の内部空間内に、少なくとも部分的に挿入され（配置され）うる。畳まれた包帯２５０は、包帯１００と同様のものでありうる。畳まれた包帯２５０は、内部空間の幅にほぼ等しい（またはこれより僅かに大きい）厚さ「Ｔ」を有する。したがって、畳まれた包帯２５０は、デバイス２００によって、その畳まれた構成で保持されうる。
【００６０】
本デバイスは、左側面２０４および右側面２０６が、畳まれた包帯２５０に対して、矢印「ａ」および「ｂ」で表されるような弾力的な保持力を及ぼすことが可能なように、プラスチックのような弾力のある素材から作られうる。使用時、畳まれた包帯２５０は、ホルダー２００から容易に取り出される。
【００６１】
デバイス２００は、ホルダーとして、他の類似の（例えば、同じ）品物と共に空間効率良く梱包することが依然として可能なように、包帯２５０のパッケージ（図示せず、１２０を参照）の全体積を増大させず、かつ、パッケージ化された包帯のさもなければ規則的な、直角柱形状を実質的に損なうことのないような形で、畳まれた包帯２５０の周囲に少なくとも部分的に適合するような大きさおよび形状とされる。
・デバイス２００は、例えば射出成形により、炭素繊維または任意の他の素材を伴うポリカーボネート、ポリプロピレン、ポリエチレンといった弾性プラスチック素材で作られうる。
【００６２】
介護者（使用者）は、ホルダー２００から畳まれた包帯２５０を取り出し（または反対に、包帯からホルダーを取り除き）、これを展開し、患者の外傷へと貼り付けうる。出血が激しい場合には、恒常性プロセスを補助するために、外傷に対して直接圧迫を与えることが推奨される。
【００６３】
図２Ｂは、圧力増加部材、または「ハンドル」として使用されるデバイス２００を示す。包帯２５０は、２つの面２５２ａおよび２５２ｂを有する細長ウェブ２５２を備える。面２５２ｂは、「外傷面」に指定され、ドレッシング２５８が外傷面２５２ｂ上に組み込まれうる。デバイス２００は、その足部要素２１６および２２６がウェブ面２５２ａに対向してドレッシング２５８の反対側に配置された状態で位置付けられうる。使用者は、デバイス２００を介して、外傷に対して圧力を印加することができる。
【００６４】
図２Ｂでは、この実施形態においては、それぞれの足部要素２１６および２２６が個別に圧力を印加するのではなく、パネル２１０が、ウェブ面２５２ａ上、ドレッシング２５８の反対側に設置され、包帯２５０に貼付されうる。パネル２１０は、少なくともデバイス２００の長さ寸法「Ｌ」と同程度の長さである長さ寸法を有し、少なくともデバイス２００の幅寸法「Ｗ」と同程度の長さである幅寸法を有しうる。使用時、介護者が、矢印「ｃ」で表されるようにデバイス２００を押し下げると、足部要素２１６および２２６（例えば、足部要素２１６および２２６を捕捉するように適合されたパネル２１０の留め具または溝によって、パネル２１０と接続するように適合されうる、図示せず）がパネル２１０を押し下げ、圧力は、パネル２１０から、別の方法で足部要素２１６および２１８単体によって印加されるものよりも広い範囲で外傷へと分散する。パネル２１０は、「圧力分散」要素と呼ばれうる。
【００６５】
足部要素２１６および２２６をパネル２１０上に適切に設置するのに役立つように、戻り止め、ピン、または同様のもの（図示せず）が、パネル２１０ならびに／または足部要素２１６および２２６に設けられうる。
【００６６】
この実施形態の一つの特徴は、外傷に対して直接圧迫を加えながら、介護者が手（手の指）を開口部（３１８または２２８）のうちの一つを介してデバイスの内部空間内へと差し込み、もう一方の開口部（３２８または２１８）から出して、しっかりとデバイス２００を掴むことができるように、デバイス２００が構成される（そのための大きさおよび形状とされる）ことである。
【００６７】
デバイス２００から畳まれた包帯２５０を取り出した後、デバイス２００は、包帯２５０を介して外傷に圧力を印加するための圧力増加部材として使用されうる。間隙２０３は、’７２３特許の圧力増加部材のフレーム部材における間隙に相当することに気付いていただきたい。そして、その中で説明されていることとも比較可能である。
【００６８】
負傷した身体部位への包帯の巻き付けの間、包帯のウェブは、圧力増加部材のフレームにおける間隙を通って、圧力増加部材の内部空間へと入りうる。それから使用者は逆戻りして、反対方向へと包帯を巻き付ける。反対方向へとウェブを巻き付けることが、圧力デバイス２００を（基本的に右または左に９０°傾けながら）ドレッシングに対して下方へと押し付けるので、圧力増加部材が負傷した領域に圧力を印加する。このとき、パネル２１０は、負傷した領域から離れて、一般に垂直に延在する。デバイス２００が左に押される場合、「脚部」要素２１２および２１４が、面２５２ａ上で（間接的にドレッシング２５８上で）基本的に平坦に横たわる一方で、「足部」要素２１６）に近接するパネル２１０の長端、および左側端２０２ａが、外傷に対して圧力を印加する。使用者が包帯の巻き付けを継続すると、ウェブが傾いたデバイス２００を覆い、それにより、パネル２１０の長端（形状に応じて、「足部」要素２１６または両方）および左側端２０２ａに対して更なる圧力が印加され、それが外傷に対して圧力を印加する。従来技術の包帯とは対照的に、圧力は基本的に２つのラインに沿って、すなわちパネル２１０の長端（形状に応じて、「足部」要素または両方）および左側端２０２ａに沿って印加される。これは、裂かれた血管（例えば、静脈または動脈）の２つの分離した端部の出血を同時に止めるときに好都合である。
【００６９】
デバイス２００が有する一つの「問題」は、デバイス２００から畳まれた包帯２５０を取り出すとき、介護者がデバイス２００を落としかねず、それから、これを回収することに気を散らされかねないことである。それ故、次の実施形態ではデバイス３００が説明され、デバイス３００は、包帯に貼付されるとともにデバイスに取り付けられる、追加の圧力分散要素（２１０を参照）を含む。確認されるように、（「ホルダー」としての）デバイスから包帯を取り出す際に、本デバイスは、ドレッシングの反対側に適切に位置付けられる圧力増加部材（「ハンドル」）として役立つように、自らを再配置する。
【００７０】
図３、図３Ａ、および図３Ｂは、その畳まれた構成において、畳まれた包帯を保持するための「ホルダー」として使用されうる、および、外傷に対して圧力を印加するための圧力増加部材（または「ハンドル」）として使用されうる、デバイス３００の別の実施形態を示す。
【００７１】
この実施形態の一つの特徴は、このハンドルが、外傷に対して直接圧迫を印加しながら、介護者がデバイスを通して手を差し込み、デバイスをしっかりと掴むことができるように構成される（そのための大きさおよび形状とされる）ことである。
【００７２】
この実施形態の別の特徴は、本デバイスが、包帯のウェブに、例えば、ウェブ上の、包帯のウェブに永続的に取り付けられうるドレッシングの反対側に、同じく永続的に取り付けられうることである。代替的に、本デバイスは、フックおよびループ方式などを使用して、包帯のウェブに対して解放可能に取り付けられうる。
【００７３】
デバイス３００の本体部は、一般にＵ字型の断面を有し、幅寸法「Ｗ」および長さ寸法「Ｌ」を有する一般に長方形の天面パネル３０２（２０２を参照）を有しうる。幅寸法「Ｗ」は、天面パネル３０２の左側端３０２ａと右側端３０２ｂの間の距離であり、長さ寸法「Ｌ」は、天面パネル３０２の前方端３０２ｃと後方端３０２ｄの間の距離である。左側端３０４ａは右側端３０４ｂの反対側にあり、前方端３０４ｃは後方端３０４ｄの反対側にある。天面パネル３０２は、以下のような４つの角を有する。
・天面パネル３０２の左前方（ＬＦ）角は、天面パネル３０２の左側端３０２ａと前方端３０２ｃの交点に形成される。
・天面パネル３０２の左後方（ＬＢ）角は、天面パネル３０２の左側端３０２ａと後方端３０２ｄの交点に形成される。
・天面パネル３０２の右前方（ＲＦ）角は、天面パネル３０２の右側端３０２ｂと後方端３０２ｄの交点に形成される。
・天面パネル３０２の右後方（ＲＢ）角は、天面パネル３０２の右側端３０２ｂと後方端３０２ｄの交点に形成される。
【００７４】
本デバイスの第１（左）側面３０４（２０４を参照）は、
・天面パネル３０２の左前方（ＬＦ）角から延在し、天面パネル３０２に対してほぼ垂直な、細長「脚部」要素３１２と、
・天面パネル３０２の左後方（ＬＢ）角から延在し、天面パネル３０２に対してほぼ垂直な、細長「脚部」要素３１４と、
・脚部要素３１２および３１４の下端の間にほぼ垂直に延在する、細長「足部」要素３１６と、
を備える。
【００７５】
デバイス３００の左側面３０４における開口部３１８は、脚部要素３１２および３１４、足部要素３１６、ならびに天面パネル３０２の左側端３０２ａによって画定される。
【００７６】
本デバイスの第２（右）側面３０６（２０６を参照）は、
・天面パネル３０２の右前方（ＲＦ）角から延在し、天面パネル３０２に対してほぼ垂直な、細長「脚部」要素３２２と、
・天面パネル３０２の右後方（ＲＢ）角から延在し、天面パネル３０２に対してほぼ垂直な、細長「脚部」要素３２４と、
・脚部要素３２２および３２４の下端の間にほぼ垂直に延在する、細長「足部」要素３２６と、
を備える。
【００７７】
デバイス３００の左側面３０４における開口部３２８は、脚部要素３２２および３２４、足部要素３２６、ならびに天面パネル３０２の右側面３０２ｂによって画定される。
【００７８】
脚部要素３１２、３１４、３２２、および３２４は全て、一般に互いに平行でありうるものであり、２つの足部要素３１６および３２６は、互いにほぼ平行でありうる。
【００７９】
脚部要素３１２、３１４、３２２、３２４は、デバイス３００の高さ「Ｈ」とほぼ等しい長さ寸法をそれぞれ有しうる。
【００８０】
足部要素３１６および３２６は、デバイス２００の長さ「Ｌ」とほぼ等しい長さ寸法をそれぞれ有しうる。
【００８１】
２つの側面３０４および３０６の間の空間は、デバイス３００の「内部空間」と呼ばれうるものであり、（脚部要素３１２、３１４、３２２、３２４の厚さを差し引いた）寸法「Ｗ」である幅寸法を有する。開口部３１８および３２８は、デバイス３００の外部からデバイス３００の内部空間まで延在する。
【００８２】
間隙３０３は、天面パネル３０２の長さ「Ｌ」に沿ったほぼ中間に、天面パネル３０２の幅「Ｗ」を完全に横断し、左側面開口部３１８および右側面開口部３２８へと入るように位置付けられうる。間隙３０３は、幅寸法「Ｇ」を有しうる。間隙３０３は、デバイス３００の内部空間内へと繋がる。
【００８３】
幾何学的に表現すると、デバイス３００は６面直角柱であり、例えば、以下を有する。
・天面パネル３０２によって画定される上部表面。上部表面は、間隙３０３を除き、連続している（または閉じている）。
・足部要素３１６および３２６によって画定され、上部表面に対向する、底部表面。底部表面は、足部要素３１６および３２６を除き、実質的に開放されている。
・２つの脚部要素３１２および３１４、ならびに足部要素３１６によって画定される、左側面３０４。左側面３０４は、実質的に開放されている。
・２つの脚部要素３２２および３２４、ならびに足部要素３２６によって画定され、左側面に対向する、右側面３０６。右側面３０６は、実質的に開放されている。
・脚部要素３１２および３２２、ならびに天面パネル３０２の前方端３０２ｃによって画定される、前方端。前方端は、実質的に開放されている。
・脚部要素３１４および３２４、ならびに天面パネル３０２の後方端３０２ｄによって画定される、後方端。後方端は、実質的に開放されている。
【００８４】
ここまで、デバイス３００の説明は、デバイス２００の説明とほぼ同様である。続いて、いくつかの差異点が考察され、それは、一般に、（真っ直ぐではなく）角度をつけられた脚部と、包帯に貼付されるとともに、デバイスにヒンジで取り付けられる、圧力分散要素に関する。そして、上述のように、天面パネルは、間隙によって隔てられた２つの開口部を有して形成されうる。
【００８５】
脚部３１２、３１４、３２４、３２６は、真っ直ぐではなく、以下のように湾曲（弓状、丸型、または角度を有する）しうる。脚部３１２および３１４、ならびに脚部３２２および３２４は、天面パネル３０２の内部表面から（「内部空間」に向かって）、その４つの角であるＬＦおよびＬＢ、ＲＦおよびＲＢのそれぞれから、その全長の一部まで、ほぼ垂直に延在する。それから、脚部３１２、３１４、３２２、および３２４は、以下のように、内側に向かって角度をつけられうる。
・その全長に沿った中点（およそ中間）で、脚部３１２は脚部３１４に向かって角度をつけられる。脚部３１２は脚部３２２に向かって曲げられることはなく、ほぼ平行なままである。
・その全長に沿った中点（およそ中間）で、脚部３１４は脚部３１２に向かって角度をつけられる。脚部３１４は脚部３２４に向かって曲げられることはなく、ほぼ平行なままである。
・その全長に沿った中点（およそ中間）で、脚部３２２は脚部３２４に向かって角度をつけられる。脚部３１６は脚部３１２に向かって曲げられることはなく、ほぼ平行なままである。
・その全長に沿った中点（およそ中間）で、脚部３２４は脚部３２２に向かって角度をつけられる。脚部３２４は脚部３１４に向かって曲げられることはなく、ほぼ平行なままである。
【００８６】
脚部３１２および３２２の下部は脚部３１４および３２４の下部に向かってそれぞれ角度をつけられうるので、デバイス３００の下部の長さ寸法「Ｌ２」は、デバイス上部の長さ寸法「Ｌ」よりも短いものでありうる。
【００８７】
一般に長方形のパネル３１０（２１０を参照）が、デバイス３００の下端に配置され、２つの位置、すなわち「開放」位置（図３Ａも参照されたい）および「閉鎖」位置（図３Ｂも参照されたい）の間で可動でありうる。その開放位置において、パネル３１０は、上方に延在し、（内部空間内で）デバイス３００の左側面３０４と隣接しうる。その閉鎖位置において、パネル３１０は２つの足部要素３１６および３２６の間に延在し、実質的にデバイス３００の底面に合致しうる。
【００８８】
（開放位置においてはデバイスの側面に沿ったものとなるが）「底面」パネルまたは「底部」表面と呼ばれうるパネル３１０は、例えば「リビングヒンジ」によって、底部左足部３１６に移動可能に取り付けられうる（ヒンジによって動きうる）。（リビングヒンジは、（布、革、または他の材料ではなく）プラスチックで作られた、薄く柔軟なヒンジ（たわみ軸受）であり、２つの硬質プラスチック部品を接続し、それらがヒンジのラインに沿って曲がることを可能にする。リビングヒンジは、典型的には、３つの部品全てを、一度に、単一部品として作り出す、射出成形工程において製造され、もし正確に設計され構成されたならば、部品の寿命が訪れるまでずっと機能することが可能である。ポリエチレンおよびポリプロピレンは、その優れた疲労耐性により、リビングヒンジのための最適な樹脂であると考えられる。パネル３１０は、少なくともデバイス３００の長さ「Ｌ」と同程度の長さである長さ寸法を有し、デバイス３００の幅「Ｗ」よりも僅かに短い幅寸法を有しうる。
【００８９】
図３Ａは、パネル３１０がその「開放」位置にあり、内部空間内でデバイス３００の左側面３０４の上方へと延在している状態における、デバイス３００の前方端を覗き込む図である。示されるように、パネル３１０の左側端と左側足部３１６（脚部３１２の後ろに隠れている）とを接続する、リビングヒンジなどのヒンジ３１１が存在する。
【００９０】
図３Ａは、図２Ａと類似するが、９０度回転されており、例えば畳まれた救急包帯をパッケージ化するための、「ホルダー」として機能しているデバイス３００を示している。この図において一般的に示される、畳まれた包帯３５０は、デバイス３００の下端において、包帯３５０からデバイス３００の内部空間内へと伸びる上向きの矢印によって表されるように、足部３１６および３２６の間の開口部内に少なくとも部分的に挿入されうるものであり、その中で、横向きの矢印「ａ」および「ｂ」によって表されるように、脚部３１２および３２２（ならびに３１４および３２４、この図では見えない）によってかけられる弾力的な圧力によって、（包帯がデバイスから容易に取り出すことが可能であるという意味で）解放可能に保持されうる。畳まれた包帯２５０は、包帯１００に類似のものでありうる。畳まれた包帯３５０は、内部空間の幅とほぼ等しい（またはこれよりも僅かに大きい）厚さ「Ｔ」を有する。したがって、畳まれた包帯３５０は、デバイス３００によって、その畳まれた構成に保持されうる。
【００９１】
図３Ｂは図２Ｂと類似しており、圧力増加部材または「ハンドル」として使用されているデバイス３００を示す。包帯３５０は、２つの面３５２ａおよび３５２ｂを有する細長ウェブ３５２を備える。面３５２ｂは「外傷面」として指定され、ドレッシング３５８が外傷面３５２ｂ上に組み込まれうる。ここでは、デバイス３００は、その足部要素３１６および３２６がウェブ面３５２ａに向かってドレッシング３５８の反対側に配置された状態で位置付けられうるものであり、介護者は、デバイス２００を介して、外傷に対して圧力を印加することができる。
【００９２】
この実施形態３００では、前の実施形態（３００）に類似したやり方で、足部要素３１６および３２６が、パネル３１０を介して外傷に対して圧力を印加しうる。パネル３１０は、ドレッシング３５８の反対側で、ウェブ面３５２ａ上に設置され、包帯３５０に貼付されうる（複数のｘは、パネル３１０がウェブ面３５２ａに取り付けられることを表す）。使用時、介護者が（矢印「ｃ」によって表されるように）デバイス３００を押し下げると、足部要素３１６および３２６が、例えばパネル３１０を押し下げ、圧力は、別の方法で足部要素３１６および３２６単体によって印加されるものよりも広い範囲で外傷に対して分散される。パネル３１０は、「圧力分散」要素と呼ばれうる。
【００９３】
この実施形態３００では、前の実施形態（３００）とは異なり、パネル３１０はデバイス３００の一部であり、同様に包帯３５２に貼付される。したがって、足部要素２１６および２２６をパネル２１０上に適切に設置するのを補助するための戻り止め、ピンまたは同様のものは不要である。むしろ、以下により詳細に説明されるように、これは「自動的に」行われる。
【００９４】
パネル３１０が足部３１６に対してヒンジで動くようにされている（取り付けられている）ことを思い返していただきたい。しかしながら、図３Ｂにおいて、足部３２６はパネル３１０の（図における）上面に接していないことに気付かれるであろう。
【００９５】
図３Ｃは、脚部３２２´（プライム）が（反対側の脚部３１２に向かって僅かに内側に曲げられうることを示し、これにより足部３２６が反対側の足部３１６に少し近づいて配置されるという効果を有する。もう一つの右側の脚部３２４（この図では見ることができない）もまた、内側に曲げられうる。パネル３１０が解放される際に（矢印「ｅ」）、脚部３２２および３２４ならびに足部３２６は、矢印「ｆ」で表されるように、外側に向かって反ることができ、外傷に対する効率的な力（矢印「ｄ」）の伝達のために、（右）足部３２６がパネル３１０上（の右側端の上部表面上）に位置付けられるように、弾力的に所定の位置に跳ね戻る。
【００９６】
図３Ｄは、足部３２６をパネル３１０上に置くために、脚部３２２（および３２４）を内側に向かって曲げることに対する代替手段を示す。図３Ｄに示されるように、外傷に対する効率的な力（矢印「ｄ」）の伝達のために、（右）足部３２６がパネル３１０上（の右側端の上部表面上）に位置付けられるように、足部３２６の内側表面には足部３２６´（プライム）から足部３１６に向かって延在する、厚みの増した領域、および／またはつめ３３０が設けられうる。
【００９７】
前の実施形態（３００）と同じように、この実施形態の特徴は、外傷に対して圧力を印加しながら、介護者がデバイスの左側および右側における開口部を通して手（手の指）を差し込むことができ、しっかりと掴むことができるように、ハンドル３００が構成される（そのための大きさおよび形状とされる）ことである。
【００９８】
デバイス３００から畳まれた包帯３５０を取り出した後、デバイス３００は、包帯３５０を介して外傷に対して圧力を印加するための圧力増加部材として使用されうる。間隙３０３は、’７２３特許の圧力増加部材のフレーム部材における間隙に相当することに気付いていただきたい（図３）。そして、その中で説明されていることとも比較可能である。
【００９９】
負傷した身体部位への包帯の巻き付けの間、包帯のウェブは、圧力増加部材のフレームにおける間隙を通って、圧力増加部材の内部空間へと入りうる。それから使用者は逆戻りして、反対方向へと包帯を巻き付ける。反対方向へとウェブを巻き付ける行為が、いくつかの実施形態と同じように、（図３Ｂに示される閉鎖位置のように）パネル３１０を閉鎖位置で係止しうる（例えば、ぴったりと嵌まる）。
【０１００】
反対方向へとウェブを巻き付けることが、圧力デバイス３００を（基本的に右または左に９０°傾けながら）ドレッシングに対して下方へと押し付けるので、圧力増加部材が負傷した領域に圧力を印加する。このとき、パネル３１０は、負傷した領域から離れて、一般に垂直に延在する。デバイス３００が右に押される場合、「脚部」要素３２２および３２４が、面３５２ａ上で（間接的にドレッシング３５８上で）基本的に平坦に横たわる一方で、（右）足部３２６および右側端３０２ｂが、外傷に対して圧力を印加する。使用者が包帯の巻き付けを継続すると、ウェブが傾いたデバイス３００を覆い、それにより、（右）足部３２６および右側端３０２ｂに対して更なる圧力が印加され、それが外傷に対して圧力を印加する。従来技術の包帯とは対照的に、圧力は基本的に２つのラインに沿って、すなわち（右）足部３２６および右側端３０２ｂに沿って印加される。これは、裂かれた血管（例えば、静脈または動脈）の２つの分離した端部の出血を同時に止めるときに好都合である。
【０１０１】
このように、畳まれた包帯をパッケージ化するためのホルダーとして機能し、また、包帯を介して外傷に圧力を印加するためのハンドルとしても機能するための大きさおよび形状とされたデバイスの、いくつもの実施形態が説明された。図２Ａおよび図２Ｂ、図３Ａおよび図３Ｂは、ウェブおよびドレッシングを備える「包括的な」畳まれた包帯２５０、３５０のそれぞれと共に、デバイス２００、３００のそれぞれを示す。続いて、例えばデバイス２００または３００に良く適合する、特定の包帯折り畳み構成を説明する。
【０１０２】
（図２Ａ、図３Ａに類似の）図４は、図３のデバイス３００のような「併用ホルダー＆ハンドル」３００と共に、図１の包帯１００と一般に類似しうる包帯４００を示す。
【０１０３】
包帯４００は、細長ウェブ４０２を備える。ウェブ４０２は、例えばジグザグ折りで、４０４ａ〜４０４ｆの６つの折り目（ｎ＝６）を有するように自身の上に畳まれ、４０２ａ〜４０２ｇの７つのパネル（ｎ＋１）を生じる。折り目の数は、６よりも多いもの（７または８など）でありうるし、あるいは６より少ないものでありうる。
【０１０４】
パネル４０２ａは「端部パネル」である。ドレッシング４０８が、端部パネル４０２ａおよび隣接パネル４０２ｂの外傷面上に配置されうる。ドレッシング４０８は、ウェブ４０２とほぼ同じだけの幅を有しうる。ドレッシング４０８は、ウェブ４０２の２つのパネル４０２ａおよび４０２ｂの外傷面上に配置されうる。したがって、示されるように、包帯４００が畳まれると、結果的にドレッシング４０８も、端部パネル４０２ａおよび隣接パネル４０２ｂの間で畳まれうる。
【０１０５】
追加ウェブ部４０６（１０６を参照）が、端部パネル４０２ａから延在する。追加ウェブ部４０６は、包帯４００を外傷（図示せず）に着ける際に、介護者によって掴まれうる。追加ウェブ部４０６は、パネル４０２ａなどのパネルの大きさ（長さおよび幅）に近似しうる。
【０１０６】
包帯４００がその畳まれた構成にあるとき、追加ウェブ部４０６は、示されるように、パネル４０２ａおよび４０２ｂの間で畳まれた包帯４００内に、および畳まれたドレッシング４０８内に配置されるように、「畳み込まれ」うる。
【０１０７】
デバイス３００のパネル３１０は、ドレッシング４０８の反対側で、ウェブ４０２の端部パネル４０２ａの面上に設置され、（複数のｘで表されるように）そこに貼付されうる。
【０１０８】
畳まれたとき、包帯４００は、パネル３１０を除いた、全体の厚さ「Ｔ」を有しうる。厚さ「Ｔ」は、例えば、およそ３ｃｍ（３０ｍｍ）でありうる。この例では、全体の厚さ「Ｔ」は、ウェブおよびドレッシングがパッケージ化されたときに圧縮されうる「柔軟な」素材（例えば、綿、ガーゼ、伸縮性の布、など）で形成されることを考慮すると、それぞれのパネル（４０２ａ〜４０２ｆ）の厚さ（およそ４ｍｍ）の７倍に、畳まれたドレッシング４０８の厚さの２倍と、追加ウェブ部４０６の厚さを加えたものにほぼ等しい。
【０１０９】
図４は、「ホルダー」として機能しているデバイス３００によって保持される包帯４００を示す。包帯４００の一部のみがホルダー３００内に保持され、包帯４００の残りの（露出した）部分はホルダー３００の外側（外部）にあることに留意すべきである。
【０１１０】
図４Ａは、介護者（使用者）が、両手４５２および４５４で、矢印「ｇ」および「ｈ」で表されるように、包帯４００の露出部分を、ホルダー３００から取り出す（引き出す）ために包帯４００を分け広げて、いくつかのパネルを片手で、残りのいくつかのパネルをもう一方の手で掴んでいるところを示す（あるいは、使用者は、片手で包帯４００を引き、もう一方の手でホルダー３００を操作することも可能である）。
【０１１１】
包帯４００がホルダー３００から引き出される際、ホルダー３００は、（例えば）図４Ｃに示されるように、包帯のウェブに対してほぼ垂直となるまで、矢印「ｉ」で表されるように、所定の場所へと「自動的に」移動する（回動する）。
【０１１２】
図４Ｂは、ホルダー３００から取り出され、外傷に着ける前に広げられた（展開された）包帯４００を示す。ドレッシング４０８は包帯の外傷面４０２ｂ上に配置され、ホルダー３００は、ドレッシング４０８の反対側で、包帯の反対（非外傷）面４０２ａからほぼ垂直に延在している。
【０１１３】
図４Ｃは、デバイス３００が外傷に対して圧力を印加するための所定位置にある、包帯４００を示す。「ハンドル」として機能しているデバイス３００が、ドレッシング４０８の反対側で、ウェブ４０２の一部上に配置されていることに注目すべきである（デバイス３００のこの「型」は、図４Ｄのように、右足部につめを有することに留意すべきである）。
【０１１４】
図４Ｄは、（「ハンドル」としての）デバイス３００と、ウェブ部５０２の一方の端部でドレッシング５０８から延在する「追加」ウェブ部５０６と、ウェブ部５０２の反対端部に配置された係止合釘（または「閉鎖バー」）５４０と、を有する包帯５００を示す。出血を止めるために、ドレッシング５０８（図においては見えない）の下の外傷に対して緊急の圧力を印加するため、ハンドル３００の上部表面３０２を掴む介護者の手が示されている。
【０１１５】
図４Ｅは、（「ハンドル」としての）デバイス３００と、ウェブ部５０２の一方の端部でドレッシング５０８から延在する「追加」ウェブ部５０６と、ウェブ部５０２の反対端部に配置された係止合釘（または「閉鎖バー」）５４２と、を有する包帯５００を示す。出血を止めるために、底部表面３１０に圧力を印加し、それによりドレッシング５０８（図においては見えない）の下の外傷に対して圧力を印加する、ハンドル３００の内部空間内にある介護者の手が示されている。
【０１１６】
図５は、使用時の包帯５００を示す。ウェブ５０２は、デバイス３００を、より詳細には、デバイス３００の上部表面３０２を通過している。このとき、ウェブ５０２は、間隙３０３を通り抜けて（通るように促されて、または強制されて）、デバイス３００の内部空間内へと入りうる。ウェブ５０２は間隙３０３を通るように強制される際に一箇所に集められるが、ウェブ５０２は、間隙３０３を通るように強制された後、最大幅近くまで広がり戻ることが可能な素材で作られうることに留意すべきである。参照によりその総体が本明細書に組み込まれる’７２３特許において説明されるように、巻き付けは継続しうるので、その後巻き付けの方向は反転し、デバイス３００に対してウェブがきつく引き戻され、それにより、デバイス３００がドレッシング５０８に対して下に傾き、外傷領域に対して追加的な圧力を印加する。デバイス３００の周囲で巻き付けは継続しうるので、それにより、追加の付属品なしに、外傷領域全体に対する二次的な滅菌ドレッシングを作り出す。最後に、使用者は、（例えば、図４Ｄおよび図４Ｅにそれぞれ示されるような）係止合釘５４０または５４２を巻かれた包帯に引っ掛け、それにより包帯を負傷した四肢の周囲で固定しうる。
【０１１７】
’７２３特許で説明されたものと同じように、外傷に包帯５００を着けたとき、デバイス３００が負傷部位の上方で、負傷した領域から離れて延在する状態で、ドレッシング５０８が負傷した四肢上に位置付けられうる（４６０、図４Ｄを参照）。次いで、使用者は、負傷した四肢の周囲にウェブ部５０２の巻き付けを開始しうる。
【０１１８】
いくつかの実施形態によれば、包帯は、細長巻き付け部を、巻かれた、または畳まれた構成に維持するように適合された保持デバイスを更に含みうるものであり、残りの細長巻き付け部が自ら完全に広がったり展開してしまったりすることなく、使用者がウェブを徐々に広げるまたは展開することを可能とする。
【０１１９】
保持デバイスは、細長要素と、上端要素（例えば、Ｖ字型またはボール型を有する）と、上端要素に対向する下端要素（同じく、例えばＶ字型またはボール型を有する）と、を含み、保持デバイスは、巻かれたまたは畳まれたウェブ部の２以上のパネルを通して延在するように適合され、ウェブ部を巻かれたまたは畳まれた構成で解放可能に保持する。このデバイスは、ウェブ部の他のパネルを保持したままで、１または複数のパネルを引くことによってデバイスを取り外すことなく、使用者が包帯を徐々に広げるまたは展開することを可能とするように更に適合されうる。保持デバイスは、綿、合成繊維、天然繊維、プラスチック、ナイロン、シリコン、または任意の他の適切な素材で作りうる。可能な保持デバイスについての更なる詳細は、参照によってその総体が本明細書に組み込まれるイスラエル特許出願第１９７８５４号の中で確認されうる。
【０１２０】
本出願の発明の詳細な説明および特許請求の範囲において、「備える」「含む」および「有する」の各語、ならびにその形式は、必ずしもその語が関連付けられうるリストにおける要素に限定するものではない。
【０１２１】
本発明を、その実施形態の種々の詳細な説明を用いて説明したが、これらは例示目的で示されたものであり、発明の範囲を限定することを意図したものではない。説明された実施形態は様々な特徴を備えうるが、その全てが本発明の全ての実施形態において要求されるものではない。本発明のいくつかの実施形態は、特徴のうちのいくつかのみを、または特徴の可能な組み合わせを利用する。当業者は、説明された本発明の実施形態の変形例、および、説明された実施形態の中で言及された特徴の様々な組み合わせを備える本発明の実施形態を思いつくであろう。本発明の範囲は特許請求の範囲によってのみ限定されること、および、特許請求の範囲はかかる変形例および組み合わせを全て含むように解釈されることが意図されている。
【図１Ａ】
2013502265.tif 000003
【図１Ｂ】
2013502265.tif 000004
【図２】
2013502265.tif 000005
【図２Ａ】
2013502265.tif 000006
【図２Ｂ】
2013502265.tif 000007
【図３】
2013502265.tif 000008
【図３Ａ】
2013502265.tif 000009
【図３Ｂ】
2013502265.tif 000010
【図３Ｃ】
2013502265.tif 000011
【図３Ｄ】
2013502265.tif 000012
【図４】
2013502265.tif 000013
【図４Ａ】
2013502265.tif 000014
【図４Ｂ】
2013502265.tif 000015
【図４Ｃ】
2013502265.tif 000016
【図４Ｄ】
2013502265.tif 000017
【図４Ｅ】
2013502265.tif 000018
【図５】
2013502265.tif 000019
【国際調査報告】
2013502265.tif 000020